【手続補正書】
【提出日】平成17年4月11日(2005.4.11)
【手続補正１】
【補正対象書類名】明細書
【補正対象項目名】特許請求の範囲
【補正方法】変更
【補正の内容】
【特許請求の範囲】
【請求項１】
テープ上のデータの磁気的な読出しおよび／または書込みのための装置であって、データモードとサーチモードとで動作可能な装置において、
読出し／書込みヘッドと、
前記読出し／書込みヘッドを第１および第２の位置に配置するように構成された位置決め手段と、
を備え、
前記データモードでの動作中、前記読出し／書込みヘッドは前記第１の位置にあって、前記テープからのデータの読出しおよび前記テープへのデータの書込みが可能なように前記テープと実質的に接触しており、
前記サーチモードでの動作中、前記読出し／書込みヘッドは、前記テープから外れた前記第２の位置にあって前記テープと接触せず、
前記読出し／書込みヘッドは、前記第１の位置と第２の位置との間で移動するように構成され、
前記サーチモードで動作中、前記位置決め手段は、前記テープのパスと前記テープの張力とを維持するように前記テープと接触し、前記読出し／書込みヘッドが前記第２の位置にあるとき、前記読出し／書込みヘッドの磨耗が防止されることを特徴とする装置。
【請求項２】
前記データモードと前記サーチモードとの間で、前記テープの前記読出し／書込みヘッドまたは前記位置決め手段を通過する移動が連続的に発生することを特徴とする請求項１に記載の装置。
【請求項３】
リニアテープドライブを備えたことを特徴とする請求項１に記載の装置。
【請求項４】
前記読出し／書込みヘッドが、前記位置決め手段に取付けられ、前記位置決め手段が、前記第１の位置と第２の位置との間で回転可能であることを特徴とする請求項１に記載の装置。
【請求項５】
前記読出し／書込みヘッドが、前記位置決め手段に取付けられ、前記位置決め手段が、前記第１の位置と第２の位置との間で回転可能であり、前記位置決め手段が、前記サーチモード中に前記テープに係合するように構成された少なくとも１つのテープ係合面を備えることを特徴とする請求項１に記載の装置。
【請求項６】
前記読出し／書込みヘッドが、前記位置決め手段に取付けられ、前記位置決め手段が、前記第１の位置と第２の位置との間で回転可能であり、前記位置決め手段が、少なくとも１つのテープ係合面を備えることを特徴とする請求項１に記載の装置。
【請求項７】
前記読出し／書込みヘッドが、前記位置決め手段に取付けられ、前記位置決め手段が、前記第１の位置と前記第２の位置との間で回転可能であり、前記位置決め手段が、前記サーチモード中にテープパスおよび張力を維持するように前記テープに係合するように構成された外面が曲面状のテープ係合面を有する実質的に円筒状の部材を備えることを特徴とする請求項１に記載の装置。
【請求項８】
前記位置決め手段が、前記第１の位置と第２の位置との間の前記読出し／書込みヘッドの前記移動をもたらすように構成されたガイド部材を備えることを特徴とする請求項１に記載の装置。
【請求項９】
前記移動には、前記テープの細長いパスに対する並進移動が含まれることを特徴とする請求項１に記載の装置。
【請求項１０】
前記位置決め手段が、前記第１の位置と第２の位置との間の前記読出し／書込みヘッドの前記移動をもたらすように構成されたガイド部材を備え、
前記サーチモード中、前記ガイド部材が、テープパスおよび張力を維持するように前記テープと係合することを特徴とする請求項１に記載の装置。
【請求項１１】
前記位置決め手段が、前記第１の位置と第２の位置との間の前記読出し／書込みヘッドの前記移動をもたらすように構成されたガイド部材を備え、
前記ガイド部材が、実質的に半円筒状の部材と、前記テープと係合するように構成された前記ガイド部材の曲面と、を備えることを特徴とする請求項１に記載の装置。
【請求項１２】
前記位置決め手段が、前記第１の位置と第２の位置との間の前記読出し／書込みヘッドの前記移動をもたらすように構成されたガイド部材を備え、
前記ガイド部材が、前記サーチモード中に前記テープと係合するように構成された少なくとも１つのテープ係合面を備えることを特徴とする請求項１に記載の装置。
【請求項１３】
前記位置決め手段が、前記第１の位置と第２の位置との間の前記読出し／書込みヘッドの前記移動をもたらすように構成されたガイド部材を備え、
前記ガイド部材が、前記サーチモード中に前記テープと係合するように構成された少なくとも１つのテープ係合曲面を備えることを特徴とする請求項１に記載の装置。
【請求項１４】
前記位置決め手段がセラミック材料を備えたことを特徴とする請求項１に記載の装置。
【請求項１５】
請求項１に記載の装置における読出し／書込みヘッドの磨耗を低減する方法であって、テープサーチのために前記第１の位置から前記第２の位置へ前記読出し／書込みヘッドを移動させることにより、前記サーチモード中に読出し／書込みヘッドの磨耗を防止することを含むことを特徴とする方法。
【請求項１６】
請求項１に記載の装置における読出し／書込みヘッドの磨耗を低減する方法であって、
テープサーチのために前記第１の位置から前記第２の位置へ前記読出し／書込みヘッドを移動させることにより、前記サーチモード中の読出し／書込みヘッドの磨耗を防止することと、
テープパスおよび張力を維持するために前記サーチモード中に前記位置決め手段と前記テープとを接触させることと、
を含むことを特徴とする方法。
【請求項１７】
テープ駆動機構において、
磁気テープを案内する複数のガイドと、
電気信号と磁気信号との間で変換を行うトランスデューサヘッドと、
前記トランスデューサヘッドが取付けられ、前記トランスデューサヘッドの表面から間隔を空けて配置されたテープ接触面を有するキャリッジ機構と、
を備え、前記キャリッジ機構が、前記トランスデューサヘッドを、前記トランスデューサヘッドが前記テープ案内手段によって画定されるテープ経路に配置される第１の位置と、前記テープ接触面が前記テープ経路から離れて配置される第２の位置と、に位置決めするように動作することを特徴とするテープ駆動機構。
【請求項１８】
前記キャリッジ機構が、前記テープ経路の主方向を横切る回転軸を中心に前記トランスデューサヘッドを回転させるように動作することを特徴とする請求項１７に記載のテープ駆動機構。
【請求項１９】
前記キャリッジ機構が、前記テープ経路の主方向を横切る方向への並進移動により前記トランスデューサヘッドを移動させるように動作することを特徴とするもの。請求項１７に記載のテープ駆動機構。
【請求項２０】
前記トランスデューサヘッドと前記テープ接触面とが、実質的に連続する面を形成し、前記トランスデューサヘッドの前記第１の位置と第２の位置との間の移動中、実質的に連続する平滑面が前記テープ経路に向けられることを特徴とする請求項１７に記載のテープ駆動機構。
【請求項２１】
前記第１の位置と第２の位置との間の移動中、前記テープ経路を移動するテープが、前記トランスデューサヘッドおよび／または前記テープ接触面に接触した状態を保つことを特徴とする請求項１７に記載のテープ駆動機構。
【請求項２２】
読出し／書込みヘッドと、該読出し／書込みヘッドを第１および第２の位置に配置するように構成された位置決め手段とを備えたテープ上のデータの磁気的な読出しおよび書込みのための装置におけるヘッドの磨耗を低減する方法において、
データモードで動作中、前記テープからのデータの読出しと前記テープへのデータの書込みを可能にするために、前記読出し／書込みヘッドを、前記読出し／書込みヘッドが前記テープと実質的に接触する前記第１の位置に維持することと、
サーチモードで動作中、前記読出し／書込みヘッドが前記テープと接触しないように、前記読出し／書込みヘッドを前記テープから外れた第２の位置に維持することと、
前記第１の動作モードと前記第２の動作モードとの間で前記装置の動作を変更するために、前記読出し／書込みヘッドを前記第１の位置と前記第２の位置との間で切替えることと、
を含むことを特徴とする方法。
【請求項２３】
前記第１の動作モードで動作中、前記位置決め手段は前記テープのパスと前記テープの張力とを維持するために前記テープと接触し、
前記第２のモードで動作中、前記読出し／書込みヘッドを前記テープから離して前記テープに接触しないように配置することによって、前記読出し／書込みヘッドの磨耗を防止する、
ことを特徴とする請求項２２に記載の方法。